【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
補助情報を含むビデオ情報の表示のための、グラフィックスサブシステムとビデオサブシステムとを含む再生デバイスの前記グラフィックスサブシステムを機能させるための方法であって、前記グラフィックスサブシステムは、補助情報の立体的な３Ｄ表示のために２つの入力プレーンがディスプレイに提供される３Ｄモードでの補助情報の立体的な３Ｄ表示のための３Ｄデータを生成することができ、前記グラフィックスサブシステムは、補助情報の立体的でない２Ｄ表示のために単一の入力プレーンがディスプレイに提供される２Ｄモードでの補助情報の２Ｄ表示のための２Ｄデータを生成することがさらにでき、前記グラフィックスサブシステムは、前記表示モード間において切替え可能であり、前記方法は、
ａ）前記３Ｄモードでの３Ｄ補助情報を提供するステップと、
ｂ）前記表示モードの変更を示す信号を受信するステップと、
ｃ）前記グラフィックスサブシステムを前記３Ｄモードのままにしながら、前記信号に応答して２Ｄ補助情報を前記グラフィックスサブシステムに提供して、左および右のチャネルに同じ２Ｄ補助情報を提供して、前記２Ｄ補助情報の２Ｄ表示を提供するステップと、
を含む、前記方法。
【請求項２】
前記左および右のチャネルに前記２Ｄデータを提供した後に、前記グラフィックスサブシステムは、前記３Ｄモードから前記２Ｄモードへ切り替わる、請求項１に記載の方法。
【請求項３】
前記２Ｄデータは、前記左および右のチャネル間における視差をゼロに設定することによって前記３Ｄデータから得られる、請求項１または２に記載の方法。
【請求項４】
補助情報を含むビデオ情報の表示のための再生デバイスであって、ビデオサブシステムとグラフィックスサブシステムとを含み、前記グラフィックスサブシステムは、補助情報の立体的な３Ｄ表示のために２つの入力プレーンがディスプレイに提供される３Ｄモードでの前記補助情報の立体的な３Ｄ表示のための３Ｄデータを生成することができ、前記グラフィックスサブシステムは、補助情報の立体的でない２Ｄ表示のために単一の入力プレーンがディスプレイに提供される２Ｄモードでの前記補助情報の２Ｄ表示のための２Ｄデータを生成することがさらにでき、前記グラフィックスサブシステムは、前記２つの表示モード間において切替え可能である、前記再生デバイスは、
ａ）前記グラフィックスサブシステムを補助情報の立体的な３Ｄ表示のための３Ｄモードに設定し、
ｂ）前記表示モードの変更を示す信号が生じた際に前記グラフィックスサブシステムを前記３Ｄモードのままにし、前記信号に応じて、
ｃ）前記グラフィックスサブシステムに２Ｄ補助情報を提供して、左および右のチャネルに同じ２Ｄ補助情報を提供して、２Ｄ表示を前記補助情報に提供するように構成されている、前記再生デバイス。
【請求項５】
ビデオ情報と、補助情報と、再生デバイスのプログラム層によって実行可能であるプログラムコードとを含むストレージメディアであって、前記再生デバイスは、ビデオサブシステムとグラフィックスサブシステムとを含み、前記グラフィックスサブシステムは、補助情報の立体的な３Ｄ表示のために２つの入力プレーンがディスプレイに提供される３Ｄモードでの前記補助情報の立体的な３Ｄ表示のための３Ｄデータを生成することができ、前記グラフィックスサブシステムは、補助情報の立体的でない２Ｄ表示のために単一の入力プレーンがディスプレイに提供される２Ｄモードでの前記補助情報の２Ｄ表示のための２Ｄデータを生成することがさらにでき、前記グラフィックスサブシステムは、前記２つの表示モード間において切替え可能である、ストレージメディアにおいて、実行されたときに、前記プログラムコードは、前記再生デバイスを、
ａ）前記グラフィックスサブシステムを補助情報の立体的な３Ｄ表示のための３Ｄモードに設定し、
ｂ）前記表示モードの変更を示す信号が生じた際に前記グラフィックスサブシステムを前記３Ｄモードのままにし、前記信号に応じて、
ｃ）前記グラフィックスサブシステムに２Ｄ補助情報を提供して、左および右のチャネルに同じ２Ｄ補助情報を提供して、２Ｄ表示を前記補助情報に提供するよう構成する、前記ストレージメディア。
【手続補正２】
【補正対象書類名】明細書
【補正対象項目名】００２８
【補正方法】変更
【補正の内容】
【００２８】
ここまで、特定の実施形態を参照して本発明について説明してきたが、本発明は、この実施形態に限定されるものではなく、特許請求される本発明の範囲内に収まるさらなる代替形態が当業者に想起されるであろうことに疑いの余地はない。
（付記１）
補助情報を含むビデオ情報の表示のための、グラフィックスサブシステムとビデオサブシステムとを含む再生デバイスの前記グラフィックスサブシステムを機能させるための方法であって、前記グラフィックスサブシステムは、３Ｄモードでの補助情報の立体的な３Ｄ表示のための左および右のチャネルデータを生成することができ、前記グラフィックスサブシステムは、２Ｄモードでの補助情報の２Ｄ表示のための２Ｄデータを生成することがさらにでき、前記グラフィックスサブシステムは、前記表示モード間において切替え可能であり、前記方法は、
ａ）前記３Ｄモードでの３Ｄ補助情報を提供するステップと、
ｂ）前記表示モードの変更を示す信号を受信するステップと、
ｃ）前記グラフィックスサブシステムを前記３Ｄモードのままにしながら、前記信号に応答して２Ｄ補助情報を前記グラフィックスサブシステムに提供して、前記左および右のチャネルに同じ２Ｄ補助情報を提供して、前記２Ｄ補助情報の２Ｄ表示を提供するステップと、
を含む、前記方法。
（付記２）
前記左および右のチャネルに前記２Ｄデータを提供した後に、前記グラフィックスサブシステムは、前記３Ｄモードから前記２Ｄモードへ切り替わる、付記１に記載の方法。
（付記３）
前記２Ｄデータは、前記左および右のチャネル間における視差をゼロに設定することによって前記３Ｄデータから得られる、付記１または２に記載の方法。
（付記４）
補助情報を含むビデオ情報の表示のための再生デバイスであって、ビデオサブシステムとグラフィックスサブシステムとを含み、前記グラフィックスサブシステムは、３Ｄモードでの前記補助情報の立体的な３Ｄ表示のための左および右のチャネルデータを生成することができ、前記グラフィックスサブシステムは、２Ｄモードでの前記補助情報の２Ｄ表示のための２Ｄデータを生成することがさらにでき、前記グラフィックスサブシステムは、前記２つの表示モード間において切替え可能である、前記再生デバイスは、
ａ）前記グラフィックスサブシステムを補助情報の立体的な３Ｄ表示のための３Ｄモードに設定し、
ｂ）前記表示モードの変更を示す信号が生じた際に前記グラフィックスサブシステムを前記３Ｄモードのままにし、前記信号に応じて、
ｃ）前記グラフィックスサブシステムに前記２Ｄ補助情報を提供して、前記左および右のチャネルに同じ２Ｄ補助情報を提供して、２Ｄ表示を前記補助情報に提供するように構成されている、前記再生デバイス。
（付記５）
ビデオ情報と、補助情報と、再生デバイスのプログラム層によって実行可能であるプログラムコードとを含むストレージメディアであって、前記再生デバイスは、ビデオサブシステムとグラフィックスサブシステムとを含み、前記グラフィックスサブシステムは、３Ｄモードでの前記補助情報の立体的な３Ｄ表示のための左および右のチャネルデータを生成することができ、前記グラフィックスサブシステムは、２Ｄモードでの前記補助情報の２Ｄ表示のための２Ｄデータを生成することがさらにでき、前記グラフィックスサブシステムは、前記２つの表示モード間において切替え可能である、ストレージメディアにおいて、実行されたときに、前記プログラムコードは、前記再生デバイスを、
ａ）前記グラフィックスサブシステムを補助情報の立体的な３Ｄ表示のための３Ｄモードに設定し、
ｂ）前記表示モードの変更を示す信号が生じた際に前記グラフィックスサブシステムを前記３Ｄモードのままにし、前記信号に応じて、
ｃ）前記グラフィックスサブシステムに前記２Ｄ補助情報を提供して、前記左および右のチャネルに同じ２Ｄ補助情報を提供して、２Ｄ表示を前記補助情報に提供するよう構成する、前記ストレージメディア。